(57)【要約】【課題】ウィルス対策ソフトウェアによる業務処理への影響を抑えつつ、安全に外部ストレージを接続することができるストレージ接続システム、ストレージ接続装置、ストレージ共有方法、およびプログラムを提供することである。【解決手段】ストレージ接続装置は、共有フォルダアクセス部と、ストレージ情報通知部とを持つ。共有フォルダアクセス部は、外部装置からの共有名を指定したアクセス要求に従い、共有フォルダにアクセスする。ストレージ情報通知部は、ユーザ操作端末装置から要求されると、隠し共有に設定された外部ストレージの共有名を通知する。ユーザ操作端末装置は、外部ストレージ情報取得部と、ストレージアクセス部とを持つ。外部ストレージ情報取得部は、ストレージ接続装置から外部ストレージの共有名を取得する。ストレージアクセス部は、ストレージ接続装置に対して、取得した共有名を指定したアクセス要求を行う。【選択図】図１
2015158742.tif 000002
【特許請求の範囲】
【請求項１】
ユーザ操作端末装置と、前記ユーザ操作端末装置とネットワークを介して接続されたストレージ接続装置とを備え、
前記ストレージ接続装置は、
ネットワークを介して接続された外部装置に対して、自装置が有する共有フォルダのうち、隠し共有に設定された共有フォルダの共有名を公開せず、自装置が有する共有フォルダのうち、隠し共有に設定されていない共有フォルダの共有名を公開し、前記外部装置からの、アクセスを要求する共有フォルダの共有名を指定したアクセス要求に従い、指定された共有名の共有フォルダにアクセスする共有フォルダアクセス部と、
前記ユーザ操作端末装置から、自装置に接続された外部ストレージであって、隠し共有に設定された外部ストレージの共有名を要求されると、要求された共有名を通知するストレージ情報通知部と
を有し、
前記ユーザ操作端末装置は、
前記ストレージ接続装置に対して、前記外部ストレージの共有名を要求し、要求に対する応答として通知された前記外部ストレージの共有名を取得する外部ストレージ情報取得部と、
前記ストレージ接続装置に対して、前記外部ストレージ情報取得部が取得した前記外部ストレージの共有名を指定したアクセス要求を行うストレージアクセス部と
を有する、ストレージ接続システム。
【請求項２】
前記ストレージ接続装置は、
自装置に前記外部ストレージが接続されると、前記外部ストレージを、隠し共有の共有フォルダに設定する隠し共有設定部
を有する、請求項１に記載のストレージ接続システム。
【請求項３】
ネットワークを介して接続された外部装置に対して、自装置が有する共有フォルダのうち、隠し共有に設定された共有フォルダの共有名を公開せず、自装置が有する共有フォルダのうち、隠し共有に設定されていない共有フォルダの共有名を公開し、前記外部装置からの、アクセスを要求する共有フォルダの共有名を指定したアクセス要求に従い、指定された共有名の共有フォルダにアクセスする共有フォルダアクセス部を有するストレージ接続装置であって、
ネットワークを介して接続された所定の装置から、自装置に接続された外部ストレージであって、隠し共有に設定された外部ストレージの共有名を要求されると、要求された共有名を通知するストレージ情報通知部と
を備えるストレージ接続装置。
【請求項４】
ネットワークを介して接続された外部装置に対して、自装置が有する共有フォルダのうち、隠し共有に設定された共有フォルダの共有名を公開せず、自装置が有する共有フォルダのうち、隠し共有に設定されていない共有フォルダの共有名を公開し、前記外部装置からの、アクセスを要求する共有フォルダの共有名を指定したアクセス要求に従い、指定された共有名の共有フォルダにアクセスする共有フォルダアクセス部を有するストレージ接続装置におけるストレージ共有方法であって、
ネットワークを介して接続された所定の装置から、自装置に接続された外部ストレージであって、隠し共有に設定された外部ストレージの共有名の要求を受信する第１の過程と、
前記第１の過程にて要求された共有名を、前記所定の装置に通知する第２の過程と
を有するストレージ共有方法。
【請求項５】
ネットワークを介して接続された外部装置に対して、自装置が有する共有フォルダのうち、隠し共有に設定された共有フォルダの共有名を公開せず、自装置が有する共有フォルダのうち、隠し共有に設定されていない共有フォルダの共有名を公開し、前記外部装置からの、アクセスを要求する共有フォルダの共有名を指定したアクセス要求に従い、指定された共有名の共有フォルダにアクセスする共有フォルダアクセス部として機能するコンピュータを、
ネットワークを介して接続された所定の装置から要求されると、自装置に接続された外部ストレージであって、隠し共有に設定された外部ストレージの共有名を通知するストレージ情報通知部
として機能させるためのプログラム。
【発明の詳細な説明】
【技術分野】
【０００１】
本発明の実施形態は、ストレージ接続システム、ストレージ接続装置、ストレージ共有方法、およびプログラムに関する。
【背景技術】
【０００２】
プラント監視システムなどのセキュリティが重視されるシステムにおいては、インターネット等の外部ネットワークと接続せずに、閉じたネットワーク（クローズドネットワーク）上にシステムを構築していることがある。これにより、ネットワークを介したウィルス感染等の外部からのセキュリティリスクを排除している。
【０００３】
そのようなシステムにおいても、監視システムが収集したプラントデータなどのシステムが生成したデータを、二次利用したい場合や、バックアップしておきたい場合がある。その場合、そのデータを保存している装置（端末・サーバ）に対してＵＳＢ（Universal Serial Bus）メモリ等の外部ストレージを接続して、プラントデータの吸い上げを行うことがある。また、バックアップしていたデータを戻して、再利用する場合など、データが保存された外部ストレージを、システム内の装置に接続することがある。
【０００４】
しかし、外部ストレージの接続によるマルウェア感染を防ぐために、システム内の装置にウィルス対策ソフトウェア（アンチウィルスソフトウェアともいう）をインストールしておくと、ウィルス対策ソフトウェアによる負荷などが、その装置の業務処理に影響を与えてしまう可能性があった。
【先行技術文献】
【特許文献】
【０００５】
【特許文献１】特開２００８−２９９８６４号公報
【発明の概要】
【発明が解決しようとする課題】
【０００６】
本発明が解決しようとする課題は、ウィルス対策ソフトウェアによる業務処理への影響を抑えつつ、安全に外部ストレージを接続することができるストレージ接続システム、ストレージ接続装置、ストレージ共有方法、およびプログラムを提供することである。
【課題を解決するための手段】
【０００７】
実施形態のストレージ接続システムは、ユーザ操作端末装置と、ストレージ接続装置とを持つ。ストレージ接続装置は、ユーザ操作端末装置とネットワークを介して接続されている。ストレージ接続装置は、共有フォルダアクセス部と、ストレージ情報通知部とを持つ。共有フォルダアクセス部は、ネットワークを介して接続された外部装置に対して、自装置が有する共有フォルダのうち、隠し共有に設定された共有フォルダの共有名を公開せず、自装置が有する共有フォルダのうち、隠し共有に設定されていない共有フォルダの共有名を公開し、前記外部装置からの、アクセスを要求する共有フォルダの共有名を指定したアクセス要求に従い、指定された共有名の共有フォルダにアクセスする。ストレージ情報通知部は、ユーザ操作端末装置から、自装置に接続された外部ストレージであって、隠し共有に設定された外部ストレージの共有名を要求されると、要求された共有名を通知する。ユーザ操作端末装置は、外部ストレージ情報取得部と、ストレージアクセス部とを持つ。外部ストレージ情報取得部は、ストレージ接続装置に対して、外部ストレージの共有名を要求し、要求に対する応答として通知された外部ストレージの共有名を取得する。ストレージアクセス部は、ストレージ接続装置に対して、外部ストレージ情報取得部が取得した外部ストレージの共有名を指定したアクセス要求を行う。
【図面の簡単な説明】
【０００８】
【図１】実施形態のプラント監視システム１００を示す概略ブロック図。
【図２】実施形態のユーザ操作端末装置１０を示す概略ブロック図。
【図３】実施形態のストレージ接続装置２０を示す概略ブロック図。
【図４】実施形態のストレージ選択画面Ｇを示す模式図。
【図５】実施形態のストレージ接続システム７０の動作を示すシーケンス図。
【発明を実施するための形態】
【０００９】
以下、実施形態のストレージ接続システム、ストレージ接続装置、ストレージ共有方法、およびプログラムを、図面を参照して説明する。
【００１０】
図１は、プラント監視システム１００の構成を示す概略ブロック図である。プラント監視システム１００は、例えば、上下水道の処理施設、工場の生産設備、発電所の設備などのプラントを監視するシステムである。プラント監視システム１００は、監視に加えて、制御も行っていてもよい。
【００１１】
プラント監視システム１００は、ユーザ操作端末装置１０、ストレージ接続装置２０、サーバ４０ａ、４０ｂ、プラントコントローラ５０ａ、５０ｂ、ネットワーク６０を含む。また、ユーザ操作端末装置１０と、ストレージ接続装置２０とで、ストレージ接続システム７０として動作する。ユーザ操作端末装置１０は、プラント監視システム１００のユーザインターフェースを提供する。ユーザ操作端末装置１０は、例えば、サーバ４０ａ、４０ｂ、プラントコントローラ５０ａ、５０ｂが生成した、または、収集したプラントに関するデータ（以降、プラントデータという）を取得し、表示する。プラントデータには、例えば、プラントを構成する機器による計測値、それらの機器の動作状態、プラントコントローラ５０ａ、５０ｂの動作状態などを表す情報がある。また、ユーザ操作端末装置１０は、例えば、マウス、キーボードなどの入力デバイスを有し、サーバ４０ａ、４０ｂ、プラントコントローラ５０ａ、５０ｂを制御するユーザ操作を受け付ける。
【００１２】
ストレージ接続装置２０は、外部ストレージ３０が接続される装置である。ストレージ接続装置２０では、接続される外部ストレージ３０を媒介としたコンピュータウィルスの感染を防止するため、ウィルス対策ソフトを動作させる。外部ストレージ３０は、ＵＳＢメモリ、ＣＤ−Ｒ（Compact Disc Recordable）などの、ストレージ接続装置２０が動作中であってもストレージ接続装置２０に対する着脱が可能な外部ストレージである。
【００１３】
サーバ４０ａ、４０ｂは、それぞれ、プラントコントローラ５０ａ、５０ｂから配信されたプラントデータをファイリングデータとして、自装置の内部ストレージに保存する。プラントコントローラ５０ａ、５０ｂは、対象のプラントを構成する機器からプラントデータを取得し、それぞれ、サーバ４０ａ、４０ｂに配信する。また、プラントコントローラ５０ａ、５０ｂは、それらの機器を制御し、制御内容や自装置の動作状況をプラントデータに含めてもよい。
【００１４】
ネットワーク６０は、インターネットなどの外部のネットワークと接続されていない、クローズドＬＡＮ（Local Area Network）である。ネットワーク６０は、ユーザ操作端末装置１０、ストレージ接続装置２０、サーバ４０ａ、４０ｂ、プラントコントローラ５０ａ、５０ｂを、相互に通信可能に接続する。
【００１５】
図２は、ユーザ操作端末装置１０の構成を示す概略ブロック図である。ユーザ操作端末装置１０は、プラントデータ表示部１１、ストレージ選択部１２、外部ストレージ情報取得部１３、ネットワーク通信部１４、ストレージアクセス部１５、内部ストレージ１６、プラントデータ受信部１７を含む。プラントデータ表示部１１は、内部ストレージ１６や外部ストレージ３０から取得したプラントデータを、ユーザに表示する。また、プラントデータ表示部１１は、ユーザ指示に従い、内部ストレージ１６に格納されたプラントデータを、外部ストレージ３０にコピーしたり、外部ストレージ３０に格納されたプラントデータを内部ストレージにコピーしたりする。このとき、プラントデータ表示部１１は、ストレージ選択部１２から内部ストレージ１６または外部ストレージ３０のフォルダ構成を取得し、そのフォルダ構成を用いて、ストレージアクセス部１５にプラントデータの読出し、書込みを指示する。なお、本実施形態では、フォルダ構成とは、そのストレージに格納されている全てのフォルダおよびファイルの構成を示すが、特定のフォルダよりも下層のフォルダおよびファイルの構成であってもよい。
【００１６】
ストレージ選択部１２は、プラントデータの読み出しまたは書き込みをするストレージを指定するユーザ操作を受け付ける。ストレージ選択部１２は、ユーザ操作により指定されたストレージのフォルダ構成を取得し、プラントデータ表示部１１に通知する。ユーザ操作により指定されたストレージが、内部ストレージ１６であるときは、ストレージ選択部１２は、ストレージアクセス部１５に、内部ストレージ１６を指定して、内部ストレージ１６のフォルダ構成の取得を要求する。
【００１７】
また、ユーザ操作により指定されたストレージが、外部ストレージ３０であるときは、まず、ストレージ選択部１２は、外部ストレージ情報取得部１３に要求して、外部ストレージ３０の共有名を取得する。そして、ストレージ選択部１２は、ストレージアクセス部１５に、取得した共有名を指定して、外部ストレージ３０のフォルダ構成の取得を要求する。
【００１８】
外部ストレージ情報取得部１３は、ストレージ選択部１２から要求されると、ネットワーク通信部１４を介して、外部ストレージ３０の共有名を、ストレージ接続装置２０に要求する。外部ストレージ情報取得部１３は、この要求の応答として取得した共有名を、ストレージ選択部１２に通知する。ネットワーク通信部１４は、ネットワーク６０を介した他装置との通信を行う。ユーザ操作端末装置１０の各部によるネットワーク６０を介した他装置との通信は、ネットワーク通信部１４により行われる。
【００１９】
ストレージアクセス部１５は、内部ストレージ１６のフォルダ構成の取得や、内部ストレージ１６または外部ストレージ３０に対して、指定されたファイルの読み出し、書き込みを行う。なお、ストレージアクセス部１５は、外部ストレージ３０に対して、ファイルの読み出し、書き込みを行うときは、ネットワーク通信部１４を介して行う。内部ストレージ１６は、ＨＤＤ（Hard Disk Drive）などのユーザ操作端末装置１０に設けられた記憶装置である。プラントデータ受信部１７は、プラントコントローラ５０ａ、５０ｂが配信したプラントデータを、ネットワーク通信部１４を介して受信し、内部ストレージ１６に格納する。
【００２０】
図３は、ストレージ接続装置２０の構成を示す概略ブロック図である。ストレージ接続装置２０は、ストレージ情報通知部２１、隠し共有記憶部２２、隠し共有設定部２３、ウィルス対策部２４、接続検出部２５、ＵＳＢアクセス部２６、ネットワーク通信部２７、共有フォルダアクセス部２８を含む。なお、ストレージ情報通知部２１と、隠し共有記憶部２２と、隠し共有設定部２３と、接続検出部２５とで、アプリケーション部２９を構成する。アプリケーション部２９は、ストレージ接続装置２０が有するコンピュータが、アプリケーションソフトウェアを読み込んで実行することで、実現される。
【００２１】
ストレージ情報通知部２１は、ユーザ操作端末装置１０から要求されると、隠し共有記憶部２２が記憶する外部ストレージ３０の共有名を、要求元の装置に通知する。なお、ストレージ情報通知部２１は、要求元がユーザ操作端末装置１０であるか否かを判定し、ユーザ操作端末装置１０であるときのみ、共有名を通知する方が好ましい。要求元がユーザ操作端末装置１０であるか否かの判定は、ＩＰ（Internet Protocol）アドレス、あるいはＭＡＣ（Media Access Control）アドレスが、所定の値であるか否かなどにより行われてもよいし、電子証明書、秘密鍵などを用いた認証により判定してもよい。共有フォルダへのアクセスは、共有名を指定しないと行えない。このため、ネットワーク６０に攻撃者が進入していたとしても、外部ストレージ３０の共有名を知らない攻撃者にとって、外部ストレージ３０にアクセスするのが困難となる。また、要求元の判定を行って共有名を取得可能な装置をユーザ操作端末装置１０のみとすることで、外部ストレージ３０にコンピュータウィルスなどのマルウェアが格納されていても、他の装置がそのマルウェアにアクセスできないようにすることができる。
【００２２】
隠し共有記憶部２２は、隠し共有設定部２３が隠し共有の設定をした外部ストレージ３０の共有名を記憶する。隠し共有設定部２３は、接続検出部２５から要求されると、外部ストレージ３０を隠し共有に設定する。隠し共有設定部２３は、隠し共有に設定した外部ストレージ３０の共有名を、隠し共有記憶部２２に格納する。ウィルス対策部２４は、許可されたプログラムのみを実行可能にするホワイトリスト型のウィルス対策ソフトウェアを実行する。これにより、外部ストレージ３０に、コンピュータウィルスなどの意図しないプログラムが格納されていたときに、そのプログラムが実行されるのを防げることがある。また、ホワイトリスト型であるため、頻繁にデータの更新を行う必要がなく、ネットワーク６０をクローズドＬＡＮのままで運用することができる。
【００２３】
接続検出部２５は、自装置のＵＳＢポートに外部ストレージ３０が接続されたことを検出し、隠し共有設定部２３に隠し共有の設定を要求する。ＵＳＢアクセス部２６は、ＵＳＢポートを有し、各部に対して、ＵＳＢポートに接続された外部ストレージ３０へのアクセスを提供する。ネットワーク通信部２７は、ネットワーク６０を介した他装置との通信を行う。ストレージ接続装置２０の各部によるネットワーク６０を介した他装置との通信は、ネットワーク通信部２７により行われる。
【００２４】
共有フォルダアクセス部２８は、ネットワーク６０を介して接続された他装置（外部装置）に、共有設定されたフォルダ（共有フォルダ）へのアクセスを提供する。共有フォルダアクセス部２８は、ストレージ接続装置２０にインストールされたＯＳ（Operating System）が提供する機能である。具体的には、共有フォルダアクセス部２８は、ネットワーク６０を介して接続された他装置に、共有フォルダの共有名を公開するが、隠し共有に設定されたものについては公開しない。また、共有フォルダアクセス部２８は、ネットワーク６０を介して接続された他装置からの、共有名を指定したアクセス要求に従い、指定された共有名の共有フォルダにアクセスする。
【００２５】
図４は、ストレージ選択画面Ｇを示す模式図である。ストレージ選択画面Ｇは、ラジオボタンＲＢ、ドライブ選択リストＤＳ、フォルダ構成表示領域ＦＳ、選択ボタンＢを有する。ラジオボタンＲＢは、内部ストレージ１６（ローカルドライブ）と、外部ストレージ３０（セキュアドライブ）とのいずれにアクセスするかを、ユーザが指定するボタンである。ストレージ選択部１２は、このラジオボタンＲＢにより指定されたストレージのフォルダ構成を取得する。
【００２６】
ドライブ選択リストＤＳは、ラジオボタンＲＢで選択されているストレージが複数のドライブを有しているときは、そのドライブ名を、ユーザが指定する選択リストである。なお、ラジオボタンＲＢにより外部ストレージ３０が指定されているときは、ドライブ名として、共有名を表示してもよい。フォルダ構成表示領域ＦＳは、ラジオボタンＲＢで選択されているストレージの、ドライブ選択リストＤＳで選択されているドライブのフォルダ構成を、ツリーで表示する。選択ボタンＢは、フォルダ構成表示領域ＦＳの中から、そのとき、選択されているファイル／フォルダがアクセス対象のファイル／フォルダであることを指定するためのボタンである。
【００２７】
図５は、ストレージ接続システム７０の動作を示すシーケンス図である。外部ストレージ３０が、ストレージ接続装置２０に接続されると（Ｓ１）、ストレージ接続装置２０の接続検出部２５が接続を検出し、隠し共有設定部２３が、外部ストレージ３０を隠し共有に設定する（Ｓ２）。また、隠し共有設定部２３は、隠し共有に設定した外部ストレージ３０の共有名を、隠し共有記憶部２２に記憶させる。
【００２８】
一方、ユーザ操作端末装置１０において、プラントデータの参照先として、ユーザがセキュアドライブ（外部ストレージ３０）を指定すると（Ｓ３）、ユーザ操作端末装置１０の外部ストレージ情報取得部１３が、共有名の要求を、ストレージ接続装置２０に送信する（Ｓ４）。ストレージ接続装置２０のストレージ情報通知部２１は、共有名の要求を受けると、隠し共有記憶部２２から共有名を読み出して、ユーザ操作端末装置１０に通知する（Ｓ５）。ユーザ操作端末装置１０のストレージアクセス部１５は、通知された共有名を指定して、外部ストレージ３０のフォルダ構成の取得や、外部ストレージ３０に対するアクセスを要求する。この要求を受けて、ストレージ接続装置２０の共有フォルダアクセス部２８は、外部ストレージ３０に対するアクセスを行う（Ｓ６）。
【００２９】
なお、ストレージ接続装置２０以外の各装置のＵＳＢポートを、物理的に塞いでおき、ユーザが、これらのＵＳＢポートに、ＵＳＢメモリを容易に挿すことができないようにしておくことが望ましい。
また、ストレージ情報通知部２１は、共有名だけでなく、外部ストレージ３０のフォルダ構成もユーザ操作端末装置１０に通知するようにしてもよい。
また、ストレージ接続装置２０には、複数の外部ストレージ３０が接続されてもよい。その場合、ストレージ情報通知部２１は、複数の外部ストレージ３０各々の共有名を通知する。
【００３０】
このように、ストレージ接続装置２０は、ユーザ操作端末装置１０から要求されると、外部ストレージ３０の共有名を通知するストレージ情報通知部２１、共有フォルダアクセス部２８を備える。
また、ユーザ操作端末装置１０は、外部ストレージ情報取得部１３と、ストレージアクセス部１５とを備える。外部ストレージ情報取得部１３は、ストレージ接続装置２０に対して、外部ストレージ３０の共有名を要求する。ストレージアクセス部１５は、ストレージ接続装置２０に対して、外部ストレージ情報取得部１３が取得した外部ストレージ３０の共有名を指定したアクセス要求を行う。
【００３１】
これにより、ストレージ接続装置２０では、ウィルス対策ソフトウェアを動作させても、業務処理を行っているユーザ操作端末装置１０では、自装置でウィルス対策ソフトウェアを動作させることなく、ストレージ接続装置２０に接続された外部ストレージ３０にアクセスできる。したがって、ウィルス対策ソフトウェアによる影響を抑えつつ、安全に外部ストレージ３０を接続することができる。
【００３２】
さらにストレージ接続装置２０は、自装置に外部ストレージ３０が接続されると、外部ストレージ３０を、隠し共有の共有フォルダに設定する隠し共有設定部２３を備える。
これにより、ユーザは、外部ストレージ３０を、ストレージ接続装置２０に接続するだけで、容易に、外部ストレージ３０にアクセスできるようになる。
【００３３】
以上説明した少なくともひとつの実施形態によれば、外部ストレージを、隠し共有の共有フォルダに設定する隠し共有設定部２３と、ユーザ操作端末装置１０から要求されると、外部ストレージ３０の共有名を通知するストレージ情報通知部２１を持つことにより、ウィルス対策ソフトウェアによる業務処理への影響を抑えつつ、安全に外部ストレージを接続することができる。
【００３４】
また、図１におけるユーザ操作端末装置１０またはストレージ接続装置２０の機能を実現するためのプログラムをコンピュータ読み取り可能な記録媒体に記録して、この記録媒体に記録されたプログラムをコンピュータシステムに読み込ませ、実行することによりユーザ操作端末装置１０またはストレージ接続装置２０を実現してもよい。なお、ここでいう「コンピュータシステム」とは、ＯＳや周辺機器等のハードウェアを含むものとする。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１０…ユーザ操作端末装置、１１…プラントデータ表示部、１２…ストレージ選択部、１３…外部ストレージ情報取得部、１４…ネットワーク通信部、１５…ストレージアクセス部、１６…内部ストレージ、１７…プラントデータ受信部、２０…ストレージ接続装置、２１…ストレージ情報通知部、２２…隠し共有記憶部、２３…隠し共有設定部、２４…ウィルス対策部、２５…接続検出部、２６…ＵＳＢアクセス部、２７…ネットワーク通信部、２８…共有フォルダアクセス部、２９…アプリケーション部、３０…外部ストレージ、４０ａ、４０ｂ…サーバ、５０ａ、５０ｂ…プラントコントローラ、６０…ネットワーク、７０…ストレージ接続システム、１００…プラント監視システム
【図１】
2015158742.tif 000003
【図２】
2015158742.tif 000004
【図３】
2015158742.tif 000005
【図４】
2015158742.tif 000006
【図５】
2015158742.tif 000007